(57)【要約】【課題】寸法測定を行うための基準となる物を必要とせずに、動く対象物の寸法を測定することができる測定装置、測定方法及び測定プログラムを提供する。【解決手段】動く対象物を撮影する撮影部１０ｇと、撮影部により撮影されている画像と、対象物を測定するメジャーとを表示する表示部１０ｆと、画像に基づいて、対象物が載置されている平面を検出する検出部１１と、平面が検出された場合に、撮影部による対象物の静止画像の撮影を受け付ける撮影受付部１２と、少なくとも静止画像上で、メジャーの起点及び終点の少なくともいずれかの変更を受け付ける変更受付部１３と、平面から撮影部までの距離及び静止画像上におけるメジャーの起点及び終点の長さに基づき、対象物の寸法を算出する算出部１４と、を備える。【選択図】図１
2019158519.tif 000002
【特許請求の範囲】
【請求項１】
動く対象物を撮影する撮影部と、
前記撮影部により撮影されている画像と、前記対象物を測定するメジャーとを表示する表示部と、
前記画像に基づいて、前記対象物が載置されている平面を検出する検出部と、
前記平面が検出された場合に、前記撮影部による前記対象物の静止画像の撮影を受け付ける撮影受付部と、
少なくとも前記静止画像上で、前記メジャーの起点及び終点の少なくともいずれかの変更を受け付ける変更受付部と、
前記平面から前記撮影部までの距離及び前記静止画像上における前記メジャーの起点及び終点の長さに基づき、前記対象物の寸法を算出する算出部と、
を備える測定装置。
【請求項２】
前記表示部は、前記平面が検出された場合に、前記撮影部の撮影方向が鉛直方向になっているか否かを示すアイコンを表示する、
請求項１に記載の測定装置。
【請求項３】
前記撮影受付部は、前記撮影部の撮影方向が鉛直方向になっている場合に、前記静止画像の撮影を受け付ける、
請求項２に記載の測定装置。
【請求項４】
前記表示部は、前記平面が検出される前に、前記対象物が載置されている平面を前記撮影部の撮影範囲に収めるように案内するメッセージを表示する、
請求項１から３のいずれか一項に記載の測定装置。
【請求項５】
前記表示部は、前記対象物が撮影される領域とその他の領域との境界の概形を前記画像上に表示し、前記概形と前記対象物を合わせて前記静止画像を撮影するように案内するメッセージを表示する、
請求項１から４のいずれか一項に記載の測定装置。
【請求項６】
前記変更受付部は、前記静止画像上で前記メジャーの端部をドラッグする操作により、前記メジャーの長さの変更を受け付ける、
請求項１から５のいずれか一項に記載の測定装置。
【請求項７】
前記対象物は、魚であり、
前記魚の種類の入力を受け付ける入力部と、
前記魚の寸法及び前記魚の種類をサーバに送信する送信部と、をさらに備える、
請求項１から６のいずれか一項に記載の測定装置。
【請求項８】
他の測定装置から前記サーバに送信された前記魚の寸法及び前記魚の種類を、前記サーバから受信する受信部をさらに備える、
請求項７に記載の測定装置。
【請求項９】
前記表示部は、前記他の測定装置から前記サーバに送信され、前記サーバから受信した前記魚の寸法及び前記魚の種類を、時系列順に表示し、
前記入力部は、前記他の測定装置から前記サーバに送信され、時系列順に表示された前記魚の寸法及び前記魚の種類に対する反応を受け付ける、
請求項８に記載の測定装置。
【請求項１０】
前記受信部は、前記サーバによって前記魚の種類毎に集計された前記魚の寸法のランキングを、前記サーバから受信する、
請求項８又は９に記載の測定装置。
【請求項１１】
撮影部により動く対象物を撮影することと、
前記撮影部により撮影されている画像と、前記対象物を測定するメジャーとを表示することと、
前記画像に基づいて、前記対象物が載置されている平面を検出することと、
前記平面が検出された場合に、前記撮影部による前記対象物の静止画像の撮影を受け付けることと、
前記静止画像上で、前記メジャーの起点及び終点の少なくともいずれかの変更を受け付けることと、
前記平面から前記撮影部までの距離及び前記静止画像上における前記メジャーの起点及び終点の長さに基づき、前記対象物の寸法を算出することと、
を含む測定方法。
【請求項１２】
動く対象物を撮影する撮影部、前記撮影部により撮影されている画像と、前記対象物を測定するメジャーとを表示する表示部及び演算部を備える測定装置の前記演算部を、
前記画像に基づいて、前記対象物が載置されている平面を検出する検出部、
前記平面が検出された場合に、前記撮影部による前記対象物の静止画像の撮影を受け付ける撮影受付部、
少なくとも前記静止画像上で、前記メジャーの起点及び終点の少なくともいずれかの変更を受け付ける変更受付部、及び
前記平面から前記撮影部までの距離及び前記静止画像上における前記メジャーの起点及び終点の長さに基づき、前記対象物の寸法を算出する算出部、
として機能させる測定プログラム。
【発明の詳細な説明】
【技術分野】
【０００１】
本発明は、測定装置、測定方法及び測定プログラムに関する。
【背景技術】
【０００２】
従来、魚等の動く対象物の寸法は、メジャーを対象物に直接当てて測定されることがある。
【０００３】
下記特許文献１には、長さがそれぞれ既知の複数の矩形が並び、隣り合う矩形の明度が異なっている長尺の帯からなるマーカー及び被写体を撮影した撮影画像に基づいて、被写体の実寸法を算出し、ディスプレイに表示する寸法計測方法が記載されている。
【先行技術文献】
【特許文献】
【０００４】
【特許文献１】特開２０１５−２２７７８７号公報
【発明の概要】
【発明が解決しようとする課題】
【０００５】
魚等の対象物は、メジャーを当てている間に動いてしまうことがあるため、正確な寸法の測定が行いづらいことがある。この点、特許文献１に記載の技術によれば、対象物を撮影した画像に基づいて、対象物の寸法を測定することができ、正確な寸法の測定が行いやすい。
【０００６】
しかしながら、特許文献１に記載の技術では、寸法測定のための基準となる専用のマーカーと対象物とが画像に含まれるように撮影する必要があり、マーカーを携行し忘れたり、対象物が動いてマーカーから離れたりした場合には、対象物の寸法の測定が困難となる。
【０００７】
そこで、本発明は、寸法測定を行うための基準となる物を必要とせずに、動く対象物の寸法を測定することができる測定装置、測定方法及び測定プログラムを提供する。
【課題を解決するための手段】
【０００８】
本発明の一態様に係る測定装置は、動く対象物を撮影する撮影部と、撮影部により撮影されている画像と、対象物を測定するメジャーとを表示する表示部と、画像に基づいて、対象物が載置されている平面を検出する検出部と、平面が検出された場合に、撮影部による対象物の静止画像の撮影を受け付ける撮影受付部と、少なくとも静止画像上で、メジャーの起点及び終点の少なくともいずれかの変更を受け付ける変更受付部と、平面から撮影部までの距離及び静止画像上におけるメジャーの起点及び終点の長さに基づき、対象物の寸法を算出する算出部と、を備える。
【０００９】
この態様によれば、対象物の静止画像を撮影することで、動く対象物であっても容易に寸法の測定が行える。また、少なくとも静止画像上でメジャーの起点及び終点の変更を受け付け、対象物の寸法を算出するため、寸法測定を行うための基準となる物を必要とせずに、動く対象物の寸法を測定することができる。
【００１０】
上記態様において、表示部は、平面が検出された場合に、撮影部の撮影方向が鉛直方向になっているか否かを示すアイコンを表示してもよい。
【００１１】
この態様によれば、対象物の静止画像に基づいて対象物の寸法を測定する場合に、対象物を正面から捉えるように静止画像を撮影させることができ、より正確な寸法の測定が可能となる。
【００１２】
上記態様において、撮影受付部は、撮影部の撮影方向が鉛直方向になっている場合に、静止画像の撮影を受け付けてもよい。
【００１３】
この態様によれば、対象物の静止画像に基づいて対象物の寸法を測定する場合に、対象物を正面から捉えた場合に静止画像の撮影を受け付けて、正確な寸法の測定が可能となるような静止画像をより確実に撮影させることができる。
【００１４】
上記態様において、表示部は、平面が検出される前に、対象物が載置されている平面を撮影部の撮影範囲に収めるように案内するメッセージを表示してもよい。
【００１５】
この態様によれば、検出部による平面の検出を促すことができ、不慣れなユーザであっても対象物の寸法の測定を短時間で行うことができる。
【００１６】
上記態様において、表示部は、対象物が撮影される領域とその他の領域との境界の概形を画像上に表示し、概形と対象物を合わせて静止画像を撮影するように案内するメッセージを表示してもよい。
【００１７】
この態様によれば、静止画像に基づいて正確な寸法の測定ができるように対象物を撮影させることでき、不慣れなユーザであっても対象物の寸法の測定を正確に行うことができる。
【００１８】
上記態様において、変更受付部は、静止画像上でメジャーの端部をドラッグする操作により、メジャーの長さの変更を受け付けてもよい。
【００１９】
この態様によれば、直感的な操作でメジャーの長さの変更を行うことができ、不慣れなユーザであっても対象物の寸法の測定を短時間で行うことができる。
【００２０】
上記態様において、対象物は、魚であり、魚の種類の入力を受け付ける入力部と、魚の寸法及び魚の種類をサーバに送信する送信部と、をさらに備えてもよい。
【００２１】
この態様によれば、複数のユーザにより送信された魚の寸法及び魚の種類をサーバに蓄積して、データベースを構築することができる。
【００２２】
上記態様において、他の測定装置からサーバに送信された魚の寸法及び魚の種類を、サーバから受信する受信部をさらに備えてもよい。
【００２３】
この態様によれば、他のユーザが釣った魚の寸法及び魚の種類を受信することで、他のユーザと魚の大きさを競い合うことができるようになる。
【００２４】
上記態様において、表示部は、他の測定装置からサーバに送信され、サーバから受信した魚の寸法及び魚の種類を、時系列順に表示し、入力部は、他の測定装置からサーバに送信され、時系列順に表示された魚の寸法及び魚の種類に対する反応を受け付けてもよい。
【００２５】
この態様によれば、他のユーザが釣った魚の寸法及び魚の種類に対する反応を受け付けることで、魚釣りを起点としたユーザ間のコミュニケーションを促進することができる。
【００２６】
上記態様において、受信部は、サーバによって魚の種類毎に集計された魚の寸法のランキングを、サーバから受信してもよい。
【００２７】
この態様によれば、他のユーザが釣った魚の寸法のランキングを受信することで、他のユーザと魚の大きさを競い合うことができるようになり、魚釣りの娯楽性を高めることができる。
【００２８】
本発明の他の態様に係る測定方法は、撮影部により動く対象物を撮影することと、撮影部により撮影されている画像と、対象物を測定するメジャーとを表示することと、画像に基づいて、対象物が載置されている平面を検出することと、平面が検出された場合に、撮影部による対象物の静止画像の撮影を受け付けることと、静止画像上で、メジャーの起点及び終点の少なくともいずれかの変更を受け付けることと、平面から撮影部までの距離及び静止画像上におけるメジャーの起点及び終点の長さに基づき、対象物の寸法を算出することと、を含む。
【００２９】
この態様によれば、対象物の静止画像を撮影することで、動く対象物であっても容易に寸法の測定が行える。また、少なくとも静止画像上でメジャーの起点及び終点の変更を受け付け、対象物の寸法を算出するため、寸法測定を行うための基準となる物を必要とせずに、動く対象物の寸法を測定することができる。
【００３０】
本発明の他の態様に係る測定プログラムは、動く対象物を撮影する撮影部、撮影部により撮影されている画像と、対象物を測定するメジャーとを表示する表示部及び演算部を備える測定装置の演算部を、画像に基づいて、対象物が載置されている平面を検出する検出部、平面が検出された場合に、撮影部による対象物の静止画像の撮影を受け付ける撮影受付部、少なくとも静止画像上で、メジャーの起点及び終点の少なくともいずれかの変更を受け付ける変更受付部、及び平面から撮影部までの距離及び静止画像上におけるメジャーの起点及び終点の長さに基づき、対象物の寸法を算出する算出部、として機能させる。
【００３１】
この態様によれば、対象物の静止画像を撮影することで、動く対象物であっても容易に寸法の測定が行える。また、少なくとも静止画像上でメジャーの起点及び終点の変更を受け付け、対象物の寸法を算出するため、寸法測定を行うための基準となる物を必要とせずに、動く対象物の寸法を測定することができる。
【発明の効果】
【００３２】
本発明によれば、寸法測定を行うための基準となる物を必要とせずに、動く対象物の寸法を測定することができる測定装置、測定方法及び測定プログラムが提供される。
【図面の簡単な説明】
【００３３】
【図１】本実施形態に係る測定装置のネットワーク構成を示す図である。
【図２】本実施形態に係る測定装置の機能ブロックを示す図である。
【図３】本実施形態に係る測定装置の物理的構成を示す図である。
【図４】本実施形態に係る測定装置により実行される測定処理の第１フローチャートである。
【図５】本実施形態に係る測定装置により実行される測定処理の第２フローチャートである。
【図６】本実施形態に係る測定装置により表示される第１画面の例である。
【図７】本実施形態に係る測定装置により表示される第２画面の例である。
【図８】本実施形態に係る測定装置により表示される第３画面の例である。
【図９】本実施形態に係る測定装置により表示される第４画面の例である。
【図１０】本実施形態に係る測定装置により表示されるランキング画面の例である。
【図１１】本実施形態に係る測定装置により実行されるランキング処理のフローチャートである。
【発明を実施するための形態】
【００３４】
以下、本発明の一側面に係る実施の形態（以下、「本実施形態」と表記する。）を、図面に基づいて説明する。なお、各図において、同一の符号を付したものは、同一又は同様の構成を有する。
【００３５】
図１は、本実施形態に係る測定装置１０のネットワーク構成を示す図である。測定装置１０は、スマートフォンによって構成されてよく、それぞれインターネット等の通信ネットワークＮに接続されてよい。測定装置１０は、動く対象物の寸法を測定して、寸法や対象物の種類に関する情報をサーバ１００に送信する。サーバ１００は、対象物の寸法や種類に関する情報を集計し、複数の測定装置１０に送信する。
【００３６】
本実施形態では、動く対象物が魚であり、測定装置１０によって魚の寸法を測定する場合について説明する。しかしながら、測定装置１０により寸法の測定の対象とされる対象物は、魚以外であってもよく、昆虫又はその他の生物であってもよい。
【００３７】
図２は、本実施形態に係る測定装置１０の機能ブロックを示す図である。測定装置１０は、通信部１０ｄ、入力部１０ｅ、表示部１０ｆ、撮影部１０ｇ、検出部１１、撮影受付部１２、変更受付部１３及び算出部を備える。通信部１０ｄ及び入力部１０ｅの構成については、後に図３を用いて詳細に説明する。
【００３８】
撮影部１０ｇは、動く対象物を撮影する。撮影部１０ｇは、汎用のデジタルカメラで構成されてよい。測定装置１０がスマートフォンで構成される場合、撮影部１０ｇは、スマートフォンに内蔵のカメラで構成されてよい。
【００３９】
表示部１０ｆは、撮影部１０ｇにより撮影されている画像と、対象物を測定するメジャーとを表示する。
【００４０】
検出部１１は、撮影部１０ｇにより撮影された画像に基づいて、対象物が載置されている平面を検出する。ここで、検出部１１によって対象物が載置されている平面を検出するアルゴリズムは、公知のものを用いてよい。
【００４１】
撮影受付部１２は、検出部１１によって平面が検出された場合に、撮影部１０ｇによる対象物の静止画像の撮影を受け付ける。測定装置１０が、入力部１０ｅとしてタッチパネルを含むスマートフォンの場合、撮影受付部１２は、タッチパネルのタップ操作によって、撮影部１０ｇによる対象物の静止画像の撮影を受け付けてよい。
【００４２】
変更受付部１３は、少なくとも静止画像上で、メジャーの起点及び終点の少なくともいずれかの変更を受け付ける。ここで、変更受付部１３は、静止画像上でメジャーの端部をドラッグする操作により、メジャーの起点及び終点の変更を受け付けてよい。測定装置１０が、入力部１０ｅとしてタッチパネルを含むスマートフォンの場合、変更受付部１３は、タッチパネルのドラッグ操作によって、メジャーの起点及び終点の変更を受け付けてよい。これにより、直感的な操作でメジャーの起点及び終点の変更を行うことができ、不慣れなユーザであっても対象物の寸法の測定を短時間で行うことができる。
【００４３】
算出部１４は、検出部１１により検出された平面から撮影部１０ｇまでの距離及び静止画像上におけるメジャーの起点及び終点の長さに基づき、対象物の寸法を算出する。このように、対象物の静止画像を撮影することで、動く対象物であっても容易に寸法の測定が行える。また、少なくとも静止画像上でメジャーの起点及び終点の変更を受け付け、対象物の寸法を算出するため、寸法測定を行うための基準となる物を必要とせずに、動く対象物の寸法を測定することができる。
【００４４】
図３は、本実施形態に係る測定装置１０の物理的構成を示す図である。測定装置１０は、ハードウェアプロセッサに相当するＣＰＵ（Central Processing Unit）１０ａと、メモリに相当するＲＡＭ（Random Access Memory）１０ｂと、メモリに相当するＲＯＭ（Read only Memory）１０ｃと、通信部１０ｄと、入力部１０ｅと、表示部１０ｆと、撮影部１０ｇと、を有する。これら各構成は、バスを介して相互にデータ送受信可能に接続される。なお、本例では測定装置１０が一台のコンピュータで構成される場合について説明するが、測定装置１０は、複数のコンピュータを用いて実現されてもよい。
【００４５】
ＣＰＵ１０ａは、ＲＡＭ１０ｂ又はＲＯＭ１０ｃに記憶されたプログラムの実行に関する制御やデータの演算、加工を行う制御部である。ＣＰＵ１０ａは、静止画像上で対象物の寸法の測定を行うプログラム（測定プログラム）を実行する演算装置である。ＣＰＵ１０ａは、入力部１０ｅや通信部１０ｄから種々の入力データを受け取り、入力データの演算結果を表示部１０ｆに表示したり、ＲＡＭ１０ｂやＲＯＭ１０ｃに格納したりする。なお、測定装置１０は、ＣＰＵ１０ａの他に、ＧＰＵ（Graphical Processing Unit）を備えてもよい。
【００４６】
ＲＡＭ１０ｂは、データの書き換えが可能な記憶部であり、例えば半導体記憶素子で構成される。ＲＡＭ１０ｂは、ＣＰＵ１０ａが実行するアプリケーション等のプログラムやデータを記憶する。
【００４７】
ＲＯＭ１０ｃは、データの読み出しのみが可能な記憶部であり、例えば半導体記憶素子で構成される。ＲＯＭ１０ｃは、例えばファームウェア等のプログラムやデータを記憶する。
【００４８】
通信部１０ｄは、測定装置１０を通信ネットワークに接続するインターフェースであり、例えば、有線又は無線回線のデータ伝送路により構成されたＬＡＮ（Local Area Network）、ＷＡＮ（Wide Area Network）、インターネット等の通信ネットワークＮに接続される。通信部１０ｄは、少なくとも、サーバ１００に情報を送信する送信部と、サーバ１００から情報を受信する受信部とを含む。
【００４９】
入力部１０ｅは、ユーザからデータの入力を受け付けるものであり、例えば、キーボード、マウス及びタッチパネルを含む。
【００５０】
表示部１０ｆは、ＣＰＵ１０ａによる演算結果を視覚的に表示するものであり、例えば、ＬＣＤ（Liquid Crystal Display）により構成される。
【００５１】
測定プログラムは、ＲＡＭ１０ｂやＲＯＭ１０ｃ等のコンピュータによって読み取り可能な記憶媒体に記憶されて提供されてもよいし、通信部１０ｄにより接続される通信ネットワークを介して提供されてもよい。測定装置１０では、ＣＰＵ１０ａが測定プログラムを実行することにより、図２を用いて説明した様々な機能が実現される。なお、これらの物理的な構成は例示であって、必ずしも独立した構成でなくてもよい。例えば、測定装置１０は、ＣＰＵ１０ａとＲＡＭ１０ｂやＲＯＭ１０ｃが一体化したＬＳＩ（Large-Scale Integration）を備えていてもよい。
【００５２】
図４は、本実施形態に係る測定装置１０により実行される測定処理の第１フローチャートである。はじめに、測定装置１０は、撮影部１０ｇで撮影している対象物の画像を表示部１０ｆに表示する（Ｓ１０）。そして、測定装置１０は、対象物が載置されている平面を撮影範囲に収めるように案内するメッセージを表示する（Ｓ１１）。ここで、測定装置１０は、検出部１１により平面が検出されなければ（Ｓ１２：ＮＯ）、引き続き対象物が載置されている平面を撮影範囲に収めるように案内するメッセージを表示する（Ｓ１１）。
【００５３】
一方、検出部１１により平面が検出された場合（Ｓ１２：ＹＥＳ）、測定装置１０は、対象物の概形を画像上に表示し、概形と対象物を合わせて静止画像を撮影するように案内するメッセージを表示する（Ｓ１３）。そして、測定装置１０は、アイコンにより、撮影方向が鉛直方向になっていないことを表示する（Ｓ１４）。ここで、測定装置１０は、撮影方向が鉛直方向になっていない場合（Ｓ１５：ＮＯ）、引き続き、アイコンにより、撮影方向が鉛直方向になっていないことを表示する（Ｓ１４）。
【００５４】
一方、撮影方向が鉛直方向になっている場合（Ｓ１５：ＹＥＳ）、測定装置１０は、アイコンにより、撮影方向が鉛直方向になっていることを表示する（Ｓ１６）。そして、測定装置１０は、対象物の静止画像の撮影を受け付ける（Ｓ１７）。以上で測定処理の第１フローチャートが終了する。以降の処理については、次図を用いて詳細に説明する。
【００５５】
図５は、本実施形態に係る測定装置１０により実行される測定処理の第２フローチャートである。測定処理の第２フローチャートは、測定処理の第１フローチャートに続いて行われる処理を示す。
【００５６】
測定装置１０は、静止画像上でメジャーの端部をドラッグする操作により、メジャーの起点及び終点の少なくともいずれかの変更を受け付ける（Ｓ１８）。そして、測定装置１０は、対象物の寸法を算出する（Ｓ１９）。
【００５７】
その後、測定装置１０は、魚の種類の入力を受け付ける（Ｓ２０）。そして、測定装置１０は、魚の寸法及び魚の種類をサーバ１００に送信する（Ｓ２１）。以上により、測定処理が終了する。
【００５８】
図６は、本実施形態に係る測定装置１０により表示される第１画面の例である。第１画面は、表示部１０ｆに表示されるものであり、撮影部１０ｇで撮影している第１画像Ｐ１と、第１メッセージＭ１とを含む。
【００５９】
表示部１０ｆは、検出部１１によって対象物が載置されている平面が検出される前に、対象物が載置されている平面を撮影部１０ｇの撮影範囲に収めるように案内する第１メッセージＭ１を表示してよい。本例の場合、第１メッセージＭ１は、「平らな場所を探してください」である。これにより、検出部１１による平面の検出を促すことができ、不慣れなユーザであっても対象物の寸法の測定を短時間で行うことができる。
【００６０】
第１画像Ｐ１は、測定装置１０（スマートフォン）を対象物が載置されている平面にかざすように促す案内を含む。このような案内を含むことで、不慣れなユーザであっても対象物が載置されている平面の検出を短時間のうちに終えることができる。
【００６１】
図７は、本実施形態に係る測定装置１０により表示される第２画面の例である。第２画面は、表示部１０ｆに表示されるものであり、撮影部１０ｇで撮影している第２画像Ｐ２と、第２メッセージＭ２とを含む。
【００６２】
表示部１０ｆは、検出部１１により平面が検出された場合に、撮影部１０ｇの撮影方向が鉛直方向になっているか否かを示すアイコンＩ１ａを表示してもよい。本例のアイコンＩ１ａは、撮影部１０ｇの撮影方向が鉛直方向になっていないことを示している。なお、測定装置１０は、ジャイロセンサを備えてよく、ジャイロセンサにより鉛直方向を検出して、撮影部１０ｇの光学系の光軸がおおよそ鉛直方向を向いているか否かを判定して、アイコンＩ１ａを表示してよい。このようなアイコンＩ１ａを表示することで、対象物の静止画像に基づいて対象物の寸法を測定する場合に、対象物を正面から捉えるように静止画像を撮影させることができ、より正確な寸法の測定が可能となる。なお、対象物が水平面に置かれておらず、斜面に置かれている場合、測定装置１０は、対象物が置かれた面の傾斜角を考慮して、撮影部１０ｇの撮影方向が鉛直方向になっているか否かを示すアイコンを表示してもよい。
【００６３】
また、第２画像Ｐ２は、撮影アイコンＩ２ａを含む。ここで、撮影アイコンＩ２ａは、外形が破線で示され、選択不可能な状態となっている。撮影受付部１２は、撮影部１０ｇの撮影方向が鉛直方向になっている場合に、静止画像の撮影を受け付けてよい。また、撮影受付部１２は、撮影部１０ｇの撮影方向が鉛直方向になっていない場合に、静止画像の撮影を受け付けないこととしてよい。これにより、対象物の静止画像に基づいて対象物の寸法を測定する場合に、対象物を正面から捉えた場合に静止画像の撮影を受け付けて、正確な寸法の測定が可能となるような静止画像をより確実に撮影させることができる。そのため、静止画像に基づいて正確な寸法の測定ができるように対象物を撮影させることでき、不慣れなユーザであっても対象物の寸法の測定を正確に行うことができる。
【００６４】
表示部１０ｆは、対象物が撮影される領域とその他の領域との境界の概形Ｌを第２画像Ｐ２上に表示し、概形Ｌと対象物Ｏを合わせて静止画像を撮影するように案内する第２メッセージＭ２を表示してよい。本例の場合、第２メッセージＭ２は、「シルエットに合わせて真上から撮影してください」である。これにより、静止画像に基づいて正確な寸法の測定ができるように対象物を撮影させることでき、不慣れなユーザであっても対象物の寸法の測定を正確に行うことができる。
【００６５】
図８は、本実施形態に係る測定装置１０により表示される第３画面の例である。第３画面は、表示部１０ｆに表示されるものであり、撮影部１０ｇで撮影している第２画像Ｐ２と、第２メッセージＭ２とを含む。
【００６６】
表示部１０ｆは、検出部１１により平面が検出された場合に、撮影部１０ｇの撮影方向が鉛直方向になっているか否かを示すアイコンＩ１ｂを表示してもよい。本例のアイコンＩ１ｂは、撮影部１０ｇの撮影方向が鉛直方向になっていることを示している。なお、測定装置１０は、ジャイロセンサにより鉛直方向を検出して、撮影部１０ｇの光学系の光軸がおおよそ鉛直方向を向いているか否かを判定して、アイコンＩ１ｂを表示してよい。このようなアイコンＩ１ｂを表示することで、対象物の静止画像に基づいて対象物の寸法を測定する場合に、対象物を正面から捉えるように静止画像を撮影させることができ、より正確な寸法の測定が可能となる。
【００６７】
また、第２画像Ｐ２は、撮影アイコンＩ２ｂを含む。ここで、撮影アイコンＩ２ｂは、外形が実線で示され、選択可能な状態となっている。撮影受付部１２は、撮影部１０ｇの撮影方向が鉛直方向になっている場合に、静止画像の撮影を受け付けてよい。また、撮影受付部１２は、撮影部１０ｇの撮影方向が鉛直方向になっていない場合に、静止画像の撮影を受け付けないこととしてよい。これにより、対象物の静止画像に基づいて対象物の寸法を測定する場合に、対象物を正面から捉えた場合に静止画像の撮影を受け付けて、正確な寸法の測定が可能となるような静止画像をより確実に撮影させることができる。そのため、静止画像に基づいて正確な寸法の測定ができるように対象物を撮影させることでき、不慣れなユーザであっても対象物の寸法の測定を正確に行うことができる。
【００６８】
なお、本実施形態では、撮影部１０ｇの撮影方向が鉛直方向になっていないことを示すアイコンＩ１ａと、撮影部１０ｇの撮影方向が鉛直方向になっていることを示すアイコンＩ１ｂとを例示したが、アイコンの種類はこれに限られない。例えば、対象物を壁にかけて撮影部１０ｇで撮影する場合、測定装置１０は、撮影部１０ｇの撮影方向が水平方向になっていないことを示すアイコンと、撮影部１０ｇの撮影方向が水平方向になっていることを示すアイコンとを表示して、撮影部１０ｇの撮影方向がおおよそ水平方向になった場合に撮影を受け付けることとしてもよい。また、測定装置１０は、方向の設定を受け付けて、撮影部１０ｇの撮影方向が設定された方向になっているか否かを示すアイコンを表示してもよい。
【００６９】
図９は、本実施形態に係る測定装置１０により表示される第４画面の例である。第４画面は、表示部１０ｆに表示されるものであり、撮影部１０ｇで撮影した静止画像Ｐ３と、第３メッセージＭ３とを含む。
【００７０】
表示部１０ｆは、撮影部１０ｇにより撮影された静止画像Ｐ３と、対象物Ｏを測定するメジャーＩ３とを表示する。ここで、メジャーＩ３の長さは、メジャーＩ３の端部をドラッグすることで自由に変更することができる。ユーザは、対象物Ｏに合うようにメジャーＩ３の長さを変更して、対象物Ｏの寸法を測定することができる。本例の場合、対象物Ｏの寸法は「２０．８ｃｍ」である。
【００７１】
表示部１０ｆは、メジャーＩ３の長さを変更して、メジャーＩ３と対象物Ｏを合わせるように案内する第３メッセージＭ３を表示してよい。本例の場合、第３メッセージＭ３は、「［］をドラッグして魚に合わせてください」である。これにより、静止画像に基づいて正確な寸法の測定ができるように対象物を撮影させることでき、不慣れなユーザであっても対象物の寸法の測定を正確に行うことができる。
【００７２】
表示部１０ｆは、対象物Ｏの静止画像を撮影し直すための撮り直しアイコンＩ４を表示する。これにより、対象物Ｏが動いてしまったり、ピントがずれてしまったりして、撮影された静止画像Ｐ３が寸法の測定に適さない場合に、静止画像の撮影をやり直すことができる。
【００７３】
また、表示部１０ｆは、対象物Ｏの寸法を確定するための確定アイコンＩ５を表示する。メジャーＩ３の長さを調整して、対象物Ｏの寸法が測定された場合、ユーザは確定アイコンＩ５を押下して、対象物Ｏの寸法を確定する。その後、測定装置１０は、魚の種類の入力を受け付けてよい。
【００７４】
図１０は、本実施形態に係る測定装置１０により表示されるランキング画面の例である。ランキング画面は、表示部１０ｆに表示されるものであり、第４画像Ｐ４を含む。第４画像Ｐ４は、第１項目Ｆ１、第２項目Ｆ２、第３項目Ｆ３及び第４項目Ｆ４を含む。
【００７５】
測定装置１０は、魚の寸法が確定された後、入力部１０ｅによって魚の種類の入力を受け付け、魚の寸法及び魚の種類をサーバ１００に送信してよい。これにより、複数のユーザにより送信された魚の寸法及び魚の種類をサーバ１００に蓄積して、データベースを構築することができる。
【００７６】
測定装置１０は、他の測定装置１０からサーバ１００に送信された魚の寸法及び魚の種類を、サーバ１００から受信して、ランキング画面に表示してよい。また、測定装置１０は、サーバ１００によって魚の種類毎に集計された魚の寸法のランキングを、サーバ１００から受信してもよい。本例では、第１項目Ｆ１として、魚の種類が「イシガキダイ」であり、魚の寸法が「３１．５ｃｍ」である釣果を示している。また、第２項目Ｆ２として、魚の種類が「イワシ」であり、魚の寸法が「２０．８ｃｍ」である釣果を示している。また、第３項目Ｆ３として、魚の種類が「メジナ」であり、魚の寸法が「２９．８ｃｍ」である釣果を示している。また、第４項目Ｆ４として、魚の種類が「メバル」であり、魚の寸法が「３６．５ｃｍ」である釣果を示している。これらの項目に示される情報は、それぞれ異なる測定装置１０からサーバ１００に送信されたものであってよい。このように、他のユーザが釣った魚の寸法及び魚の種類を受信することで、他のユーザと魚の大きさを競い合うことができるようになる。また、他のユーザが釣った魚の寸法のランキングを受信することで、他のユーザと魚の大きさを競い合うことができるようになり、魚釣りの娯楽性を高めることができる。
【００７７】
表示部１０ｆは、他の測定装置１０からサーバ１００に送信され、サーバ１００から受信した魚の寸法及び魚の種類を、時系列順に表示し、入力部１０ｅは、時系列順に表示された魚の寸法及び魚の種類に対する反応を受け付けてもよい。ここで、反応は、他のユーザの釣果に対する賞賛やコメントを含んでよい。これにより、他のユーザが釣った魚の寸法及び魚の種類に対する反応を受け付けることで、魚釣りを起点としたユーザ間のコミュニケーションを促進することができる。
【００７８】
図１１は、本実施形態に係る測定装置１０により実行されるランキング処理のフローチャートである。はじめに、測定装置１０は、他の測定装置１０からサーバ１００に送信された魚の寸法及び魚の種類を、サーバ１００から受信する（Ｓ３０）。
【００７９】
測定装置１０は、受信した魚の寸法及び魚の種類を、時系列順に表示する（Ｓ３１）。なお、表示の順序は、時系列順に限られず、寸法の昇順又は降順であったり、魚の種類に応じた順序であったりしてもよい。
【００８０】
その後、測定装置１０は、魚の寸法及び魚の種類に対する反応を受け付ける（Ｓ３２）。
【００８１】
また、測定装置１０は、魚の種類の選択を受け付ける（Ｓ３３）。そして、魚の種類毎に集計された魚の寸法のランキングをサーバ１００から受信して表示部１０ｆに表示する（Ｓ３４）。以上により、ランキング処理が終了する。
【００８２】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００８３】
１０…測定装置、１０ａ…ＣＰＵ、１０ｂ…ＲＡＭ、１０ｃ…ＲＯＭ、１０ｄ…通信部、１０ｅ…入力部、１０ｆ…表示部、１０ｇ…撮影部、１１…検出部、１２…撮影受付部、１３…変更受付部、１４…算出部、１００…サーバ
【図１】
2019158519.tif 000003
【図２】
2019158519.tif 000004
【図３】
2019158519.tif 000005
【図４】
2019158519.tif 000006
【図５】
2019158519.tif 000007
【図６】
2019158519.tif 000008
【図７】
2019158519.tif 000009
【図８】
2019158519.tif 000010
【図９】
2019158519.tif 000011
【図１０】
2019158519.tif 000012
【図１１】
2019158519.tif 000013